【事件の表示】
　特願２００２−３２４９４４「通信装置」拒絶査定不服審判事件〔平成１５年　５月３０日出願公開、特開２００３−１５８６２１〕について、次のとおり審決する。
【結　論】
　本件審判の請求は、成り立たない。
【理　由】
１．手続きの経緯・本願発明
　本願は、平成４年６月１０日に出願した特願平４−１７７５２５号の一部を平成１４年１１月８日に新たな特許出願としたものであって、その請求項１に記載された発明（以下、「本願発明」という。）は、特許請求の範囲の請求項１に記載された次のとおりのものである。
　 
　「【請求項１】　相手先ダイヤル番号を入力するダイヤル入力手段と、セットされた原稿を読み取る原稿読取部と、前記原稿読取部による原稿読み取りと読み取った原稿のファクシミリ送信の開始を指示するスタート指示手段と、回線をモニタ状態として前記相手先ダイヤル番号をダイヤルする制御手段とを有するオンフックダイヤル機能を備える通信装置において、
　前記通信装置は、ファクシミリ送信に際しフックスイッチが開放状態で前記ダイヤル入力手段により入力される相手先ダイヤル番号を記憶する記憶手段を有し、
　前記スタート指示手段による指示に基づいて、前記原稿読取部による原稿読み取りと読み取った原稿のファクシミリ送信が開始されるとともに、前記回線をモニタ状態し、前記ファクシミリ送信に際し入力され記憶手段に記憶された相手先ダイヤル番号が、前記制御手段によりダイヤルされ、前記ダイヤル入力手段により相手先ダイヤル番号を入力後、所定時間、前記スタート指示手段による指示がない場合、前記記憶手段は、自動的に動作を中止することを特徴とする通信装置。」
　 
２．引用例
（１）原査定の拒絶の理由に引用された特開平４−１３７９７１号公報（以下、「引用例１」という。）には、
　ア　「本発明は、オートダイヤル機能を有するファクシミリ装置に関する。」（１頁右下欄９〜１０行）、
　イ　「第１図は、本発明の一実施例によるファクシミリ装置を示すブロック図である。
　図において、システム制御部ｌは、例えばマイクロコンピュータや記憶回路などから構成され、第２図に示すような制御手順が格納されたＲＯＭＩＡを含むものである。
　読取部２は、原稿搬送ローラ９によって搬送された送信原稿１１を読み取るＣＣＤイメージセンサなどから構成されている。
　なお、送信原稿１１は、原稿有無センサ１０によって後述のように所定のタイミングで検知される。
　記録部３は、受信した画信号に応じた画像を記録紙に例えば静電記録するものである。
　操作部４は、各種の操作キーを配置したものであり、特に本発明の機能を実行する選択スイッチ４Ａが設けられている。
　表示部５は、状態表示やアラーム表示などを表示する。なお、操作部４と表示部５は、１つの操作表示部として構成してもよい。
　ＲＡＭ６は、相手先の電話番号を登録させておく不揮発性ＲＡＭである。なお、このＲＡＭ６として、バッテリーによってバックアップされた揮発性メモリを用いてもよい。
　また、モデム（変復調装Ｍ）７は、送受信信号の変復調を行うものである。
　ＮＣＵ　（網制御装置）８は、選択信号（パルスまたはトーンダイアラ−）を送出する機能を有し、呼出し音検出による自動着信動作および回線制御動作を行うのみならず、システム制御部１の制御によって電話回線１２に対し、選択信号の送出動作を行う。
　ハンドセット１３は、通話を行うものであり、オフフック検知センサ１４は、ハンドセット１３のオフフックを検知するものである。」（２頁左下欄２行〜右下欄１６行）、
　ウ　「第２図は、本実施例の動作例を示すフローチャートである。
　なお、不揮発性ＲＡＭ６には、操作部４の選択スイッチ４Ａに対応させてファクシミリ用の相手光電話番号“Ｘ”と通話用の相手先電話番号“Ｙ”の２つを予め割り当てて登録しておくものとする。
まず、操作部４に配置された選択スイッチ４Ａが押下されたか否か判定し（Ｓ１）、それが押下されたときには、システム制御部ｌは、オフフック検知センサ１４の出力に応じてハンドセット１３のオフフック、オンフックを判定する（Ｓ２）。
オフフック検知センサ１４によりハンドセット１３がオンフックであると判定した場合には、次にシステム制御部１は、原稿有無センサ１０の出力に応じて送信原稿１１の有無を判定する（Ｓ３）。
　ここで、送信原稿が有りと判定されると、不揮発性ＲＡＭ６からファクシミリ用の相手先電話番号“Ｘ”を読み出し、その電話番号の選択信号をＮＵＣ８から電話回線１２に送出し、回線接続後、動作モードがファクシミリ送信モードとなって所定の送信動作を行う（Ｓ４）。」（２頁右下欄１７行〜３頁左上欄２０行）が記載されている。
　これらの記載ア、イ、ウ及び図面第１図〜第２図によれば、引用例１には、各種の操作キーを配置した操作部４と、原稿搬送ローラ９によって搬送された送信原稿１１を読み取るＣＣＤイメージセンサなどから構成されている読取部２と、選択スイッチ４Ａと、選択信号（パルスまたはトーンダイアラ−）を送出する機能を有し、呼出し音検出による自動着信動作および回線制御動作を行うのみならず、システム制御部１の制御によって電話回線１２に対し、選択信号の送出動作を行うＮＣＵ（網制御装置）８とを有するオートダイヤル機能を備えるファクシミリ装置において、前記ファクシミリ装置は、操作部４の選択スイッチ４Ａに対応させてファクシミリ用の相手先電話番号“Ｘ”と通話用の相手先電話番号“Ｙ”の２つを予め割り当てて登録しておく不揮発性ＲＡＭ６を有し、操作部４に配置された選択スイッチ４Ａが押下されたか否か判定し（Ｓ１）、それが押下されたときには、システム制御部ｌは、オフフック検知センサ１４の出力に応じてハンドセット１３のオフフック、オンフックを判定し（Ｓ２）、オフフック検知センサ１４によりハンドセット１３がオンフックであると判定した場合には、次にシステム制御部１は、原稿有無センサ１０の出力に応じて送信原稿１１の有無を判定し（Ｓ３）、ここで、送信原稿が有りと判定されると、不揮発性ＲＡＭ６からファクシミリ用の相手先電話番号“Ｘ”を読み出し、その電話番号の選択信号をＮＵＣ８から電話回線１２に送出し、回線接続後、動作モードがファクシミリ送信モードとなって所定の送信動作を行う（Ｓ４）ことを特徴とするファクシミリ装置の発明（以下、「引用発明」という。）が記載されている。
（２）原査定の拒絶の理由に引用された特開平１−１１５２５９号公報（以下、「引用例２」という。）には、
　エ　「本体２には原稿挿入口４、コピー排出口５等が形成されており、また１、エラー表示ランプ６、通信中表示ランプ７および、スタート／ストップスイッチ８が設けられている。」（２頁右下欄１５行〜１８行）が記載されている。
（３）原査定の拒絶の理由に引用された特開昭６２−９５０６６号公報（以下、「引用例３」という。）には、
　オ　「操作部７は、テンキーと、「＊」キーと、「＃」キーとで構成され、これらのキー動作は、ＣＰＵ１が常時監視している。」（２頁右上欄６行〜８行）、
　カ　「まず、回線３を接続した後に、操作部７のキーを押し下げることによって、ダイヤル信号を発生させ、このダイヤル信号を送出する。」（２頁右上欄１８行〜左下欄１行）、
　キ　「また、上記Ｓ０３においてＤＩＳ信号が検出されず、また、Ｓ０４においてフッタアップが検出されない場合には、ＣＰＵＩはＴ１タイマーを監視し、タイムオーバーになったら、スピーカー１０をオフし回線を放す（Ｓ０６）。」（２頁右下欄２行〜６行）、
　ク　「また、フックアンプしない場合には、ＣＰＵ１がタイムオーバーか否かを判断し（Ｓ１０）、タイムオーバーしたらスピーカー１０がオフし、回線を放す（Ｓ０６）。」（３頁左上欄５行〜９行）が記載されている。
　 
３．対比
　そこで、本件発明と引用発明とを対比すると、
　引用発明の「原稿搬送ローラ９によって搬送された送信原稿１１を読み取るＣＣＤイメージセンサなどから構成されている読取部２」、「選択信号（パルスまたはトーンダイアラ−）を送出する機能を有し、呼出し音検出による自動着信動作および回線制御動作を行うのみならず、システム制御部１の制御によって電話回線１２に対し、選択信号の送出動作を行うＮＣＵ（網制御装置）８」及び「ファクシミリ装置」は、本願発明の「セットされた原稿を読み取る原稿読取部」、「回線をモニタ状態として前記相手先ダイヤル番号をダイヤルする制御手段」及び「通信装置」に相当する。
　引用発明の「操作部４の選択スイッチ４Ａに対応させてファクシミリ用の相手先電話番号“Ｘ”と通話用の相手先電話番号“Ｙ”の２つを予め割り当てて登録しておく不揮発性ＲＡＭ６」は、上位概念化すれば「相手先ダイヤル番号を記憶する記憶手段」といえる。
　また、引用発明の「操作部４に配置された選択スイッチ４Ａが押下されたか否か判定し（Ｓ１）、それが押下されたときには、システム制御部ｌは、オフフック検知センサ１４の出力に応じてハンドセット１３のオフフック、オンフックを判定し（Ｓ２）、オフフック検知センサ１４によりハンドセット１３がオンフックであると判定した場合には、次にシステム制御部１は、原稿有無センサ１０の出力に応じて送信原稿１１の有無を判定し（Ｓ３）、ここで、送信原稿が有りと判定されると、不揮発性ＲＡＭ６からファクシミリ用の相手先電話番号“Ｘ”を読み出し、その電話番号の選択信号をＮＵＣ８から電話回線１２に送出し、回線接続後、動作モードがファクシミリ送信モードとなって所定の送信動作を行う（Ｓ４）こと」は、特定の判定結果の場合は、回線をモニタ状態し、記憶手段に記憶された相手先ダイヤル番号が、制御手段によりダイヤルされ、原稿読取部による原稿読み取りと読み取った原稿のファクシミリ送信が開始されることであるから、本願発明の「前記原稿読取部による原稿読み取りと読み取った原稿のファクシミリ送信が開始されるとともに、前記回線をモニタ状態し、前記記憶手段に記憶された相手先ダイヤル番号が、前記制御手段によりダイヤルされること」に相当する。
　したがって、本願発明と引用発明とを対比すると、「セットされた原稿を読み取る原稿読取部と、回線をモニタ状態として前記相手先ダイヤル番号をダイヤルする制御手段とを有する通信装置において、前記通信装置は、相手先ダイヤル番号を記憶する記憶手段を有し、前記原稿読取部による原稿読み取りと読み取った原稿のファクシミリ送信が開始されるとともに、前記回線をモニタ状態し、前記記憶手段に記憶された相手先ダイヤル番号が、前記制御手段によりダイヤルされることを特徴とする通信装置。」の点で一致し、以下の点で相違する。
　相違点１
　本願発明は、「相手先ダイヤル番号を入力するダイヤル入力手段と、セットされた原稿を読み取る原稿読取部と、前記原稿読取部による原稿読み取りと読み取った原稿のファクシミリ送信の開始を指示するスタート指示手段と、回線をモニタ状態として前記相手先ダイヤル番号をダイヤルする制御手段とを有するオンフックダイヤル機能を備える」のに対し、引用発明では、そのことが記載されていない点 。
　相違点２
　本願発明は、「ファクシミリ送信に際しフックスイッチが開放状態で前記ダイヤル入力手段により入力される相手先ダイヤル番号を記憶する記憶手段を有し」ているのに対して、引用発明では、そのことが記載されていない点。
　相違点３
　本願発明は、「前記スタート指示手段による指示に基づいて、前記原稿読取部による原稿読み取りと読み取った原稿のファクシミリ送信が開始されるとともに、前記回線をモニタ状態し、前記ファクシミリ送信に際し入力され記憶手段に記憶された相手先ダイヤル番号が、前記制御手段によりダイヤルされ」及び「前記ダイヤル入力手段により相手先ダイヤル番号を入力後、所定時間、前記スタート指示手段による指示がない場合、前記記憶手段は、自動的に動作を中止する」のに対して、引用発明では、そのことが記載されていない点。
 　 
４．当審の判断
　以下、相違点１、２、３について検討する。
　相違点１について
　引用発明は、ファクシミリ装置であり、一般のファクシミリ装置に、相手先ダイヤル番号を入力するダイヤル入力手段と原稿読取部による原稿読み取りと読み取った原稿のファクシミリ送信の開始を指示するスタート指示手段を用いることは、慣用手段にすぎない（例えば特開平４−１２９３７９号公報、特開昭６３−３０８４６３号公報参照。引用例２にスタートキーが、引用例３にはダイヤル入力手段が記載されている。）。
　そして、引用発明は、オフフック、オンフックを判定し、オンフックでファクシミリ送信モードとする構成を有しているところ、ファクシミリ装置の技術分野において、オンフックダイヤル機能技術は、周知であり（例えば、特開平２−２６４５６４号公報、特開平１−２４５７５１号公報、特開昭６３−３０８４６３号公報参照）、該周知の技術を引用発明に採用することに格別な困難性は認められない。
　してみると、引用発明に上記慣用手段、周知な技術事項を採用して、「相手先ダイヤル番号を入力するダイヤル入力手段と、セットされた原稿を読み取る原稿読取部と、前記原稿読取部による原稿読み取りと読み取った原稿のファクシミリ送信の開始を指示するスタート指示手段と、回線をモニタ状態として前記相手先ダイヤル番号をダイヤルする制御手段とを有するオンフックダイヤル機能を備える」構成とすることは、当業者が容易になし得たものである。
　相違点２について
　引用発明は相手先ダイヤル番号を記憶する記憶手段を有しているが、ファクシミリ装置の技術分野では、フックスイッチが開放状態で前記ダイヤル入力手段により入力される相手先ダイヤル番号を記憶する記憶手段を有」することは、周知な技術事項である（例えば、特開昭６３−２６１４６号公報、特開平４−１２９３７９号公報、特開昭６４−６５９６１号公報参照）。
　してみると、引用発明に、上記周知な技術事項を採用して、「ファクシミリ送信に際しフックスイッチが開放状態で前記ダイヤル入力手段により入力される相手先ダイヤル番号を記憶する記憶手段を有」することは、当業者が容易に想到できたものである。
　相違点３について
　引用発明は、操作部４に配置された電話番号の選択スイッチ４Ａが押下により、ファクシミリ送信をすることとダイヤルすることを行うものであるといえるが、ファクシミリ送信をするためのスイッチ（例えば、スタート指示手段）の押下により、ファクシミリ送信をすることとダイヤルすることを行うことは、周知（例えば、実願昭６３−１２１９２４号（実開平２−４３０５３号）のマイクロフィルム、特開平４−１２９３７９号公報参照）であり、引用発明に、該周知な事項を採用することに格別な困難性は認められない。
　また、ファクシミリ装置の入力手順において、一定時間内に所定の入力が無い場合は、タイムアウトの処理を行うことは、慣用手段（例えば、引用例３、実願昭６３−１２１９２４号（実開平２−４３０５３号）のマイクロフィルム、特開平１−９３２５０号公報参照）であり、タイムアウトの処理として誤入力、誤操作を回避するため記憶手段に記憶されたダイヤルデータをリセットすることは、適宜ないし得る事項である（例えば、特開昭５５−１１２０６１号公報には、従来技術として、「電話器のダイヤル操作は、所定時間間隔内で次の番号の操作を行われなければ、それまでのダイヤル操作が消去されるように設定されている」記載がある。）。
　してみると、引用発明に、上記周知な事項、慣用手段を採用して、「前記スタート指示手段による指示に基づいて、前記原稿読取部による原稿読み取りと読み取った原稿のファクシミリ送信が開始されるとともに、前記回線をモニタ状態し、前記ファクシミリ送信に際し入力され記憶手段に記憶された相手先ダイヤル番号が、前記制御手段によりダイヤルされ」及び「前記ダイヤル入力手段により相手先ダイヤル番号を入力後、所定時間、前記スタート指示手段による指示がない場合、前記記憶手段は、自動的に動作を中止する」ことは、当業者が容易に想到できたものである。
　 
５．むすび
　以上のとおり、本願発明は、当業者が引用例１〜３に記載された発明に基いて容易に発明することができたものであるから、特許法第２９条第２項の規定により特許を受けることができない。
　したがって、本願は、他の請求項について、検討するまでもなく拒絶されるべきものである。
 　よって、結論のとおり審決する。